(57)【要約】【課題】継手本体を交換することなく安価にアーム固定手段を設けることができ、尚且つ操作性に優れた管継手のロックユニットの提供。【解決手段】雌継手部材１の耳部２に、ピン３を突き通して取り付けられるカムアーム４とアーム受け金具５を備え、カムアームは、基端側に雄継手部材６の係合溝７に係脱するカム部８を有し、先端側にカムアームをロック位置に固定するためのアーム固定手段９を有し、アーム受け金具は、ピンが貫通する左右の側壁１０と爪受け部１２を有し、側壁にはアーム受け金具の回動を規制する回動規制部１３ａ，１３ｂを有し、アーム固定手段は、係止爪１１を一体に有するレバー体１４をバネ１５で付勢して揺動可能に軸支して構成してあり、カムアーム４がロック位置にある状態でレバー体１４を外向きに引くと、係止爪１１がピン３から離れる方向に移動して爪受け部１２から外れ、カムアームが外向きに回動する。【選択図】      図１
2004183844.tif 000002
【特許請求の範囲】
【請求項１】
雌継手部材（１）の耳部（２）に、ピン（３）を突き通して取り付けられるカムアーム（４）とアーム受け金具（５）を備え、カムアームはピン（３）を支点に回動し、基端側に雄継手部材（６）の係合溝（７）に係脱するカム部（８）を有し、先端側にカムアームをロック位置に固定するためのアーム固定手段（９）を有し、アーム受け金具は、ピンが貫通する左右の側壁（１０）と、アーム固定手段の係止爪（１１）が係止する爪受け部（１２）を有し、側壁には前記ピンを継手の軸線方向に跨ぐ位置二箇所にアーム受け金具の回動を規制する回動規制部（１３ａ，１３ｂ）を有し、アーム固定手段は、係止爪（１１）を一体に有するレバー体（１４）をバネ（１５）で付勢して揺動可能に軸支して構成してあり、カムアーム（４）がロック位置にある状態でレバー体（１４）を外向きに引くと、係止爪（１１）がピン（３）から離れる方向に移動して爪受け部（１２）から外れ、カムアームが外向きに回動することを特徴とする管継手のロックユニット。
【発明の詳細な説明】
【０００１】
【発明の属する技術分野】
本発明は、管継手のロックユニットに関するものである。
【０００２】
【従来の技術】
管継手は、二つの管体の端部にそれぞれ取り付けられる雌雄一対の継手部材で構成され、雌継手部材には、その内部に差し込んだ雄継手部材が抜けないように保持し、また必要に応じてこれを解除できるロック手段を備えている。そのようなロック手段として一般的なものに、図３に示すようなカムアーム９２を用いたものがある。カムアーム９２は、雌継手部材９１の対向位置に張り出して設けた耳部９３にピン９４で回動自在に軸支してあって、基端側にピンに対して偏心したカム部９５を備えている。雄継手部材９０の差し込み部外周には係合溝９６を周設してあり、雄継手部材９０の差し込み部を雌継手部材９１に差し込み、カムアーム９２を雌継手部材９１に添う位置まで回動すると、カム部９５が雄継手部材の係合溝９６に入り込み、雄継手部材９０が抜けないようにロックされる。カムアーム９２を同図の二点鎖線で示すように横向きの位置に回動させると、カム部９５が係合溝９６から外れ、ロックが解除される。
【０００３】
ロックされた状態で雄継手部材９０が抜けようとすると、カムアーム９２が内側に向って回動しようとするため、カムアーム９２に触れることがなければ、カムアーム９２がひとりでに回動してロックが解除されることはない。しかし、カムアーム９２の先端が何かに引っ掛かるなどしてカムアーム９２に無作為の力が加わった時には、カムアーム９２が回動してロックが解除されてしまうおそれがある。そのような危険を排除するために、特許文献１や特許文献２には、カムアームがロック位置にある状態でアームを固定できる手段を備えた管継手が記載されている。アーム固定手段は、カムアームに設けたピン状や爪状の係合用突起と雌継手部材に設けた係合用突起の受け部とで構成され、カムアームがロック位置にある時に係合用突起が前記受け部と係合し、カムアームの回動が阻止される。
【０００４】
【特許文献１】
特開平１０−３１８４７６号公報
【特許文献２】
特許第２６４２８９７号公報
【０００５】
【発明が解決しようとする課題】
これまでは、アーム固定手段がなくても管継手の基本的な機能は発揮されること、アーム固定手段を付けると解除する際の操作性が悪くなる場合があること、値段が高価であること等から、アーム固定手段の付いた管継手はあまり普及してこなかった。しかし近年、より信頼性の高い管継手が求められるようになり、既存の管継手をアーム固定手段の付いたものに交換したいケースが増加している。従来のアーム固定手段は、カムアームの係合用突起の受け部が、雌継手部材の本体と一体で構成してあるため、アーム固定手段が付いてないものにこれを新たに付ける場合には、雌継手部材をそっくり交換しなければならなかった。本発明はこうした実情に鑑み、カムアーム式の管継手にアーム固定手段が付いていない場合に、継手本体を交換することなく安価にアーム固定手段を設けることができ、尚且つ解除操作の容易な管継手のロックユニットの提供を目的とする。
【０００６】
【課題を解決するための手段】
上記の課題を達成するために本発明の管継手のロックユニットは、雌継手部材の耳部に、ピンを突き通して取り付けられるカムアームとアーム受け金具を備え、カムアームはピンを支点に回動し、基端側に雄継手部材の係合溝に係脱するカム部を有し、先端側にカムアームをロック位置に固定するためのアーム固定手段を有し、アーム受け金具は、ピンが貫通する左右の側壁と、アーム固定手段の係止爪が係止する爪受け部を有し、側壁には前記ピンを継手の軸線方向に跨ぐ位置二箇所にアーム受け金具の回動を規制する回動規制部を有し、アーム固定手段は、係止爪を一体に有するレバー体をバネで付勢して揺動可能に軸支して構成してあり、カムアームがロック位置にある状態でレバー体を外向きに引くと、係止爪がピンから離れる方向に移動して爪受け部から外れ、カムアームが外向きに回動することを特徴とする。
【０００７】
【発明の実施の形態】
以下、本発明の実施の形態を図面に基づいて説明する。図１は、本発明のロックユニットを備えた管継手を組立状態で一部断面にして示しており、図２はロックユニットの分解斜視図である。管継手は、雄継手部材６と雌継手部材１とからなり、雄継手部材６の差し込み部１６が雌継手部材１に差し込まれ、雌継手部材１に設けたロックユニット１７により、雄継手部材６が抜けないようにロックされる。雄継手部材６と雌継手部材１には、それぞれに管体３０，３１を連結するための手段が設けられるが、本実施形態では当該連結手段は雌ネジ孔１８，１９としてある。
【０００８】
ロックユニット１７は、カムアーム４とアーム受け金具５とを備え、これらは雌継手部材１外周の対向位置二箇所に相対して張り出す耳部２間に配置され、ピン３を貫通させて取り付けられている。図２中の符号２０，２１，２２は、耳部２、カムアーム４、アーム受け金具５にそれぞれ設けたピン３の挿通孔であり、取り付け時にはこれらの孔２０，２１，２２を一致させてピン３を貫通させる。雌継手部材１の耳部２間には、カム挿入孔２３を貫通して設けてあり、カムアーム４の基端側に設けたカム部８がその孔に挿入されている。カムアーム４はピン３を支点として回動し、図１の実線で示すように、カムアーム４が管継手の軸線方向に沿うロック位置にある時には、カム部８が雄継手部材６の差し込み部１６に周設した断面円弧状の係合溝７に入り込み、雄継手部材６が抜けないようにロックされ、図１の仮想線で示すように、カムアーム４が外側に張り出した解除位置にある時には、カム部８が前記係合溝７から外れて、雄継手部材６が抜ける状態になる。
【０００９】
さらに本ロックユニット１７には、ロック位置にあるカムアーム４が不意に回動しないように固定するアーム固定手段９を備えている。アーム固定手段９は、カムアーム４の先端側に設けたレバー体１４と、アーム受け金具５とによって構成される。レバー体１４は、カムアーム４の裏側に形成した溝状の収容部２４に収容され、カムアーム４の基端側に近い方の端部を平行ピン２５で揺動可能に軸支してあり、軸支部分の近くに切り欠きを設けて係止爪１１を形成してある。また、レバー体１４の他端側には孔を空けてリング２６を取り付けてある。カムアーム４とレバー体１４の間にはバネ１５が介装してあり、レバー体１４は係止爪１１が突出する向きに付勢されている。アーム受け金具５は、カムアーム４のカム部８を挟む左右の側壁１０と、側壁１０同士を下部側で繋ぎ、係止爪１１が引っ掛かる爪受け部１２を有している。側壁１０はピン３の上下に跨がって延びており、その内側の縁部に雌継手部材１のカム挿入孔２３に挿入される出っ張り部２７を有し、その上側と下側が雌継手部材１の表面に係合する回動規制部１３ａ，１３ｂとなってアーム受け金具５の回動を規制している。また、爪受け部１２の外側の角部は、斜めに面取り２８が施されている。
【００１０】
管継手及びロックユニットの構造は以上に述べた通りであり、雄継手部材６の差し込み部１６を雌継手部材１に差し込み、カムアーム４をロック位置に回動させると、カム部８が雄継手部材６の係合溝７に入り込んで雄継手部材６がロックされ、且つカムアーム４に設けたレバー体１４の係止爪１１がアーム受け金具５の爪受け部１２に係止し、カムアーム４がロック位置に固定される。この時、爪受け部１２の外側の角部と、これに対向する係止爪１１の先端部とに面取り２８，２９が施されているため、レバー体１４を手で特別操作しなくても、カムアーム４をロック位置へと回動させるだけで自動的にカムアーム４がロックされる。またロックを解除する時には、リング２６に指を掛けて外向きに引くことで、まずレバー体１４が揺動して係止爪１１が爪受け部１２から外れ、続いてカムアーム４が外向きに回動してカム部８が係合溝７から外れる。すなわちロックする際、解除する際のいずれにおいても、ワンアクションで簡便に行うことができ、アーム固定手段９を特別に操作する必要がない。
【００１１】
【発明の効果】
以上に述べたとおり、本発明による管継手のロックユニットは、雌継手部材とは独立した構成となっているため、既存のカムアームを取り外し、その代わりに簡単に取り付けることが可能であり、これによって管継手自体を交換しなくてもアーム固定手段の付いたより信頼性の高い管継手を安価に得ることができる。また、カムアームに取り付けたレバー体を外向きに引くことでアーム固定手段の解除とアームの回動が連続的になされるため、解除操作をワンアクションで簡便に行うことができる。
【図面の簡単な説明】
【図１】本発明のロックユニットを備えた管継手を組立状態で一部断面にして示す正面図である。
【図２】本発明による管継手のロックユニットの分解斜視図である。
【図３】カムアーム式の管継手の基本的な構造を示す縦断面図である。
【符号の説明】
１  雌継手部材
２  耳部
３  ピン
４  カムアーム
５  アーム受け金具
６  雄継手部材
７  係合溝
８  カム部
９  アーム固定手段
１０  側壁
１１  係止爪
１２  爪受け部
１３ａ，１３ｂ  回動規制部
１４  レバー体
１５  バネ
【図１】
2004183844.tif 000003
【図２】
2004183844.tif 000004
【図３】
2004183844.tif 000005